(57)【要約】  固形薬剤溶解装置（１００）は、容器部（１２０）の内部に設けられ、少なくとも１つの連通孔（２１Ａ，２１Ｂ）を有し、少なくとも１つの固形薬剤（ＣＡ）を支持する固形薬剤支持部（２１）を備え、固形薬剤支持部２１は、少なくとも１つの固形薬剤（ＣＡ）の位置ズレを抑制するように少なくとも１つの固形薬剤（ＣＡ）の全周を取り囲む筒状の壁部（２２）を含み、筒状の壁部（２２）は、筒状の壁部（２２）の内側の被処理水を筒状の壁部（２２）の外側へ導く少なくとも１つの導出孔（２２Ａ）を含む。
2019038993.tif 000002
【特許請求の範囲】
【請求項１】
容器部と、
前記容器部の内部に設けられ、少なくとも１つの連通孔を有し、少なくとも１つの固形薬剤を支持する固形薬剤支持部と、
前記容器部の外部から前記固形薬剤支持部の下側まで被処理水を導く導入流路と、
前記少なくとも１つの連通孔を通過した後に前記少なくとも１つの固形薬剤に接触した前記被処理水を前記容器部の外部へ導く導出流路と、を備え、
前記固形薬剤支持部は、前記少なくとも１つの固形薬剤の位置ズレを抑制するように前記少なくとも１つの固形薬剤の全周を取り囲む筒状の壁部を含み、
前記筒状の壁部は、前記筒状の壁部の内側の前記被処理水を前記筒状の壁部の外側へ導く少なくとも１つの導出孔を含む、固形薬剤溶解装置。
【請求項２】
前記少なくとも１つの導出孔は、前記筒状の壁部の最下端に設けられた１以上の最下端の導出孔を含む、請求項１に記載の固形薬剤溶解装置。
【請求項３】
前記少なくとも１つの導出孔は、前記筒状の壁部に分散して設けられた複数の導出孔である、請求項１に記載の固形薬剤溶解装置。
【請求項４】
前記少なくとも１つの導出孔は、前記固形薬剤支持部の上に置かれた当初の前記少なくとも１つの固形薬剤が通過しない程度の大きさを有している、請求項１〜３のいずれかに記載の固形薬剤溶解装置。
【請求項５】
前記筒状の壁部の内側および外側の少なくともいずれか一方に、前記少なくとも１つの導出孔を覆うように設けられているか、または、前記少なくとも１つの導出孔のそれぞれの中に設けられ、前記固形薬剤の流出を抑制する格子状部材をさらに備えた、請求項１〜４のいずれかに記載の固形薬剤溶解装置。
【請求項６】
前記少なくとも１つの導出孔の流路断面の面積の総和が前記少なくとも１つの連通孔の流路断面の面積の総和以上である、請求項１〜５のいずれかに記載の固形薬剤溶解装置。
【請求項７】
前記筒状の壁部が格子状部材を含み、
前記少なくとも１つの導出孔が前記格子状部材の開口である、請求項１に記載の固形薬剤溶解装置。
【請求項８】
前記固形薬剤が塩素系固形薬剤である、請求項１〜７のいずれかに記載の固形薬剤溶解装置。
【発明の詳細な説明】
【技術分野】
【０００１】
本発明は、被処理水に固形薬剤を溶解させる固形薬剤溶解装置に関するものである。
【背景技術】
【０００２】
従来から、被処理水に固形薬剤を溶解させる固形薬剤溶解装置の開発が行われている。従来の固形薬剤溶解装置においては、固形薬剤が固形薬剤支持部によって支持されているものがある。この場合、固形薬剤支持部には多数の連通孔が設けられている。そのため、多数の連通孔を下から上へ通過した被処理水が固形薬剤に接触する。それにより、固形薬剤が被処理水に溶解する（特許文献１参照）。
【先行技術文献】
【特許文献】
【０００３】
【特許文献１】特表平９−５０８５７９号公報
【発明の概要】
【発明が解決しようとする課題】
【０００４】
従来の固形薬剤溶解装置によれば、固形薬剤が固形薬剤支持部の上に載置されているだけである。そのため、たとえば、固形薬剤がタブレット状のものであれば、使用中に、被処理水の流れによって、固形薬剤の位置ズレが生じる。また、たとえば、固形薬剤が顆粒状のものであれば、固形薬剤が固形薬剤溶解装置から流出してしまう。その結果、固形薬剤の溶解の仕方にバラツキが生じることに起因して、薬剤の被処理水に対する濃度にバラツキが生じてしまうことがある。これを抑制するために、固形薬剤の位置ズレを抑制することが好ましい。【０００５】
しかしながら、固形薬剤を保持するために、固形薬剤の周囲を取り囲んでしまうと、固形薬剤溶解装置の非使用中に、固形薬剤が被処理水に接触し続ける状態になる場合がある。この場合、一部の被処理水に溶解した薬液の濃度が極端に高くなってしまう。【０００６】
したがって、固形薬液を保持しながら、固形薬剤溶解装置の非使用中に、固形薬剤が被処理水に接触し続ける状態になることを抑制することが求められている。【０００７】
本発明は、このような従来技術の有する課題に鑑みてなされたものである。そして、本発明の目的は、固形薬液の位置ズレを抑制しながら、固形薬剤溶解装置の非使用中に、固形薬剤が被処理水に接触し続ける状態になることを抑制することができる固形薬剤溶解装置を提供することである。
【課題を解決するための手段】
【０００８】
上記課題を解決するために、本発明の一態様に係る固形薬剤溶解装置は、容器部と、前記容器部の内部に設けられ、少なくとも１つの連通孔を有し、少なくとも１つの固形薬剤を支持する固形薬剤支持部と、前記容器部の外部から前記固形薬剤支持部の下側まで被処理水を導く導入流路と、前記少なくとも１つの連通孔を通過した後に前記少なくとも１つの固形薬剤に接触した前記被処理水を前記容器部の外部へ導く導出流路と、を備え、前記固形薬剤支持部は、前記少なくとも１つの固形薬剤の位置ズレを抑制するように前記少なくとも１つの固形薬剤の全周を取り囲む筒状の壁部を含み、前記筒状の壁部は、前記筒状の壁部の内側の前記被処理水を前記筒状の壁部の外側へ導く少なくとも１つの導出孔を含んでいる。
【発明の効果】
【０００９】
本発明によれば、固形薬剤の位置ズレを抑制しながら、固形薬剤溶解装置の非使用中に、固形薬剤が被処理水に接触し続ける状態となることを抑制することができる。
【図面の簡単な説明】
【００１０】
【図１】本発明の実施の形態１の固形薬剤溶解装置の縦断面図である。
【図２】本発明の実施の形態１の固形薬剤溶解装置の固形薬剤支持部を説明するための斜視図である。
【図３】本発明の実施の形態１の固形薬剤溶解装置の他の使用例の縦断面図である。
【図４】本発明の実施の形態２の固形薬剤溶解装置の固形薬剤支持部を説明するための斜視図である。
【図５】本発明の実施の形態３の固形薬剤溶解装置の固形薬剤支持部を説明するための斜視図である。
【図６】本発明の実施の形態４の固形薬剤溶解装置の固形薬剤支持部を説明するための斜視図である。
【発明を実施するための形態】
【００１１】
以下、図面を参照しながら、実施の形態の固形薬剤溶解装置を説明する。以下の複数の実施の形態においては、同一の参照符号が付された部分同士は、図面上における形状に多少の相違があっても、特段の記載がない限り、互いに同一の機能を発揮するものとする。
【００１２】
（実施の形態１）
以下、図１〜図３を用いて、実施の形態１の固形薬剤溶解装置１００を説明する。
【００１３】
図１に示されるように、本実施の形態においては、固形薬剤溶解装置１００は、容器部１２０、固形薬剤支持部２１、導入流路１１Ａ、および筒状の壁部２２、固形薬剤収容空間１１Ｂ、および導出流路１１Ｃを備えている。容器部１２０は、水槽を構成する容器本体部２と、容器本体部２の上端に取り付けられる蓋部１と、を含んでいる。筒状の壁部２２は、固形薬剤ＣＡの位置ズレを抑制する。
【００１４】
図１および図２から分かるように、導入流路１１Ａは、円筒配管１１、円筒配管１１の先端に設けられた円盤状のフランジ１２、およびフランジ１２の外周に沿って設けられた環状のスペーサ１３によって形作られている。導入流路１１Ａは、容器部１２０の外部から固形薬剤支持部２１の下側まで被処理水を導く。導出流路１１Ｃは、複数の連通孔２１Ａ，２１Ｂを通過した後に少なくとも１つの固形薬剤ＣＡに接触した被処理水を容器部１２０の外部へ導く。固形薬剤収容空間１１Ｂは、少なくとも１つの固形薬剤ＣＡが保持される空間である。固形薬剤溶解装置１００の使用時には、被処理水は、導入流路１１Ａから固形薬剤収容空間１１Ｂを経由して導出流路１１Ｃへ流れ込む。
【００１５】
本実施の形態においては、導入流路１１Ａは、断面がＴ字形状をなしているが、固形薬剤支持部２１の下側まで被処理水を導けるのであれば、一般に使用される円筒形の流路の形状等、いかなる形状を有していてもよい。導出流路１１Ｃは、断面がＴ字形状をなす導入流路１１Ａを取り囲む空間であるが、固形薬剤支持部２１の上側から被処理水が流れ落ちることができる流路であれば、その形状はいかなるものであってもよい。
【００１６】
固形薬剤支持部２１は、容器部１２０の内部に設けられ、複数の連通孔２１Ａ，２１Ｂを有している。複数の連通孔２１Ａ，２１Ｂは、４つの内側の連通孔２１Ａと、８つの外側の連通孔２１Ｂとからなっている。しかしながら、複数の連通孔２１Ａ，２１Ｂの数は、被処理水が、下方から上方へ固形薬剤支持部２１を通過し、固形薬剤ＣＡに接触することができるのであれば、いくつであってもよい。本実施の形態においては、導入流路１１Ａは、複数の連通孔２１Ａ，２１Ｂにのみ接続されている。固形薬剤支持部２１は、被処理水の流量の要件が満たされるのであれば、１つ連通孔のみを有していてもよい。
【００１７】
固形薬剤支持部２１は、固形薬剤ＣＡを支持する。本実施の形態においては、固形薬剤ＣＡが顆粒状の塩素系固形薬剤ＣＡである。したがって、複数の連通孔２１Ａ，２１Ｂのそれぞれの大きさは、多数の粒状の固形薬剤ＣＡのそれぞれの使用開始当初の大きさよりも小さい。
【００１８】
本実施の形態においては、固形薬剤支持部２１は、少なくとも１つの固形薬剤ＣＡの位置ズレを抑制するように少なくとも１つの固形薬剤ＣＡの全周を取り囲む筒状の壁部２２を含んでいる。筒状の壁部２２は、筒状の壁部２２の内側の被処理水を筒状の壁部２２の外側へ導く少なくとも１つの導出孔２２Ａを含んでいる。そのため、少なくとも１つの固形薬剤ＣＡの位置ズレを抑制しながら、固形薬剤溶解装置１００の非使用中に、固形薬剤ＣＡが被処理水に接触し続ける状態になることを抑制することができる。
【００１９】
本実施の形態においては、少なくとも１つの導出孔２２Ａは、筒状の壁部２２の最下端に設けられている。そのため、筒状の壁部２２の内側の被処理水を筒状の壁部２２の外側へ効率的に排出させることができる。
【００２０】
本実施の形態においては、少なくとも１つの導出孔２２Ａは、固形薬剤支持部２１の上に置かれた当初の少なくとも１つの固形薬剤ＣＡが通過しない程度の大きさを有している。そのため、少なくとも１つの固形薬剤ＣＡが固形薬剤支持部２１の上に置かれた直後に固形薬剤溶解装置１００の外部へ流出してしまうことが抑制されている。
【００２１】
本実施の形態においては、固形薬剤溶解装置１００は、少なくとも１つの導出孔２２Ａの流路断面の面積の総和が複数の連通孔２１Ａの流路断面の面積の総和以上である。そのため、固形薬剤溶解装置１００の非使用時に、固形薬剤支持部２１の上に被処理水が溜まることを抑制することができる。したがって、少なくとも１つの固形薬剤ＣＡが被処理水に接触し続けることにより、一部の被処理水に溶解した薬剤の濃度が極端に高くなることを抑制することができる。
【００２２】
図３に示されるように、本実施の形態の固形薬剤ＣＡは、タブレット状をなしていてもよい。いずれにしても本実施の固形薬剤ＣＡは、塩素系固形薬剤ＣＡである。そのため、塩素を一定の割合で被処理水に溶解させることができる。
【００２３】
本実施の形態の固形薬剤溶解装置１００によれば、顆粒状またはタブレット状などの様々な大きさの固形薬剤を使用することができる。また、タブレット状の固形薬剤を用いる場合、筒状の壁部２２は、上下に積み重ねられた複数の固形薬剤ＣＡを保持することができる。
【００２４】
（実施の形態２）
以下、図４を用いて、実施の形態２の固形薬剤溶解装置１００を説明する。
【００２５】
図４に示されるように、本実施の形態においては、筒状の壁部２２は、導出孔２２Ａに加えて、導出孔２２Ｂを備えている。また、導出孔２２Ａ，２２Ｂは、筒状の壁部２２全体に分散して設けられている。本実施の形態の固形薬剤溶解装置１００は、前述の点において、実施の形態１の固形薬剤溶解装置１００と異なっている。そのため、筒状の壁部２２の内側の被処理水を筒状の壁部２２の外側へ効率的に導出することができる。したがって、本実施の形態においても、少なくとも１つの固形薬剤ＣＡの位置ズレを抑制しながら、固形薬剤溶解装置１００の非使用中に、固形薬剤ＣＡが被処理水に接触し続ける状態になることを抑制することができる。
【００２６】
（実施の形態３）
以下、図５を用いて、実施の形態３の固形薬剤溶解装置１００を説明する。
【００２７】
図５に示されるように、固形薬剤溶解装置１００は、筒状の壁部２２の外側に少なくとも１つの導出孔２２Ａ，２２Ｂを覆うように設けられ、溶解によって小さくなった固形薬剤ＣＡの流出を抑制する格子状部材２３をさらに備えている。ただし、格子状部材２３は、筒状の壁部２２の内側に設けられていてもよい。また、格子状部材２３は、筒状の壁部２２の外側および内側の双方に設けられていてもよい。加えて、少なくとも１つの格子状部材２３がそれぞれ少なくとも１つの導出孔２２Ａ，２２Ｂの中に設けられていてもよい。本実施の形態の固形薬剤溶解装置１００は、前述の点において、実施の形態２の固形薬剤溶解装置１００と異なっている。
【００２８】
上記のような本実施の形態の固形薬剤溶解装置１００によれば、少なくとも１つの固形薬剤ＣＡが溶解の進行にともなって小さくなっても、少なくとも１つの固形薬剤ＣＡの固形薬剤溶解装置１００の外部への流出を抑制することができる。したがって、本実施の形態においては、少なくとも１つの固形薬剤ＣＡの位置ズレを抑制しながら、固形薬剤溶解装置１００の非使用中に、固形薬剤ＣＡが被処理水に接触し続ける状態になることをより確実に抑制することができる。
【００２９】
（実施の形態４）
以下、図６を用いて、実施の形態４の固形薬剤溶解装置１００を説明する。
【００３０】
図６に示されるように、本実施の形態では、実施の形態１の筒状の壁部２２の代わりに、少なくとも１つの固形薬剤ＣＡの位置ズレを抑制する部分として、少なくとも１つの固形薬剤ＣＡの全周を取り囲む格子状部材２３が設けられている。また、本実施の形態においては、格子状部材２３の開口が実施の形態１の少なくとも１つの導出孔２２Ａの機能と同様の機能を果たす。本実施の形態の固形薬剤溶解装置１００は、前述の点において、実施の形態１の固形薬剤溶解装置１００と異なっている。本実施の形態の固形薬剤溶解装置１００によっても、筒状の壁部２２の内側の被処理水を筒状の壁部２２の外側へ効率的に排出させることができる。したがって、本実施の形態においても、少なくとも１つの固形薬剤ＣＡの位置ズレを抑制しながら、固形薬剤溶解装置１００の非使用中に、固形薬剤ＣＡが被処理水に接触し続ける状態になることを抑制することができる。
【００３１】
以下、実施の形態の固形薬剤溶解装置１００の特徴的構成およびそれにより得られる効果を述べる。
【００３２】
（１）  固形薬剤溶解装置１００は、容器部１２０、固形薬剤支持部２１、導入流路１１Ａ、および導出流路１１Ｃを備えている。固形薬剤支持部２１は、容器部１２０の内部に設けられ、少なくとも１つの連通孔２１Ａ，２１Ｂを有し、少なくとも１つの固形薬剤ＣＡを支持する。導入流路１１Ａは、容器部１２０の外部から固形薬剤支持部２１の下側まで被処理水を導く。導出流路１１Ｃは、少なくとも１つの連通孔２１Ａ，２１Ｂを通過した後に少なくとも１つの固形薬剤ＣＡに接触した被処理水を容器部１２０の外部へ導く。固形薬剤支持部２１は、少なくとも１つの固形薬剤ＣＡの位置ズレを抑制するように少なくとも１つの固形薬剤ＣＡの全周を取り囲む筒状の壁部２２を含む。筒状の壁部２２は、筒状の壁部２２の内側の被処理水を筒状の壁部２２の外側へ導く少なくとも１つの導出孔２２Ａ，２２Ｂを含む。これによれば、少なくとも１つの固形薬剤ＣＡの位置ズレを抑制しながら、固形薬剤溶解装置１００の非使用中に、固形薬剤ＣＡが被処理水に接触し続ける状態になることを抑制することができる。
【００３３】
（２）  少なくとも１つの導出孔２２Ａ，２２Ｂは、筒状の壁部２２の最下端に設けられた１以上の最下端の導出孔２２Ａ，２２Ｂを含んでいることが好ましい。これによれば、筒状の壁部２２の内側の被処理水を筒状の壁部２２の外側へ効率的に排出させることができる。
【００３４】
（３）  少なくとも１つの導出孔２２Ａ，２２Ｂは、筒状の壁部２２に分散して設けられた複数の導出孔２２Ａ，２２Ｂであることが好ましい。これによれば、筒状の壁部２２の内側の被処理水を筒状の壁部２２の外側へ効率的に導出することができる。
【００３５】
（４）  少なくとも１つの導出孔２２Ａ，２２Ｂは、固形薬剤支持部２１の上に置かれた当初の少なくとも１つの固形薬剤ＣＡが通過しない程度の大きさを有していることが好ましい。これによれば、少なくとも１つの固形薬剤ＣＡが固形薬剤支持部２１の上に置かれた直後に固形薬剤溶解装置１００の外部へ流出してしまうことを抑制することができる。
【００３６】
（５）  固形薬剤溶解装置１００は、固形薬剤ＣＡの流出を抑制する格子状部材２３をさらに備えていることが好ましい。格子状部材２３は、筒状の壁部２２の内側および外側の少なくともいずれか一方に、少なくとも１つの導出孔２２Ａ，２２Ｂを覆うように設けられているか、または、少なくとも１つの導出孔２２Ａ，２２Ｂのそれぞれの中に設けられている。これによれば、少なくとも１つの固形薬剤ＣＡが溶解の進行にともなって小さくなっても、少なくとも１つの固形薬剤ＣＡの固形薬剤溶解装置１００の外部への流出を抑制することができる。
【００３７】
（６）  固形薬剤溶解装置１００は、少なくとも１つの導出孔２２Ａ，２２Ｂの流路断面の面積の総和が少なくとも１つの連通孔２１Ａ，２１Ｂの流路断面の面積の総和以上であることが好ましい。これによれば、固形薬剤支持部２１の上に被処理水が溜まることを抑制することができる。そのため、固形薬剤溶解装置１００の非使用時に、少なくとも１つの固形薬剤ＣＡが被処理水に接触し続けることにより、一部の被処理水に溶解した薬剤の濃度が極端に高くなることを抑制することができる。
【００３８】
（７）  筒状の壁部２２が格子状部材２３を含み、少なくとも１つの導出孔２２Ａ，２２Ｂが格子状部材２３の開口であってもよい。これによっても、筒状の壁部２２の内側の被処理水を筒状の壁部２２の外側へ効率的に排出させることができる。
【００３９】
（８）  固形薬剤ＣＡが塩素系固形薬剤ＣＡであってもよい。これによれば、塩素を一定の割合で被処理水に溶解させることができる。
本出願は、２０１７年８月２５日に出願された日本出願の特願２０１７−１６２３４６号に基づく優先権を主張し、当該日本出願に記載された全ての記載内容を参照によって援用するものである。
【符号の説明】
【００４０】
１１Ａ  導入流路
１１Ｃ  導出流路
２１  固形薬剤支持部
２１Ａ，２１Ｂ  連通孔
２２  筒状の壁部
２２Ａ，２２Ｂ  導出孔
２３  格子状部材
１００  固形薬剤溶解装置
１２０  容器部
ＣＡ  固形薬剤
【図１】
2019038993.tif 000003
【図２】
2019038993.tif 000004
【図３】
2019038993.tif 000005
【図４】
2019038993.tif 000006
【図５】
2019038993.tif 000007
【図６】
2019038993.tif 000008
【国際調査報告】
2019038993.tif 000009
2019038993.tif 000010
2019038993.tif 000011
2019038993.tif 000012